(57)【要約】【課題】洗い工程での停電復帰時に、残りの洗い工程の時間を短縮し、省エネと使い勝手の向上を図る。【解決手段】制御手段１２は、停電復帰時に電源からの電力を供給する停電復帰手段２１と、運転情報を記憶する記憶手段２２と、時刻を検出する時刻検出手段２３とを有し、洗い工程での停電からの復帰時に、記憶手段２２に記憶されている運転情報と、時刻検出手段２３により検出された停電による経過時間の情報から、残りの洗い工程の時間を短縮することで、運転時間を短縮することができ、省エネにもつながり、また使い勝手の向上も図ることができる。【選択図】図２
2016163601.tif 000002
【特許請求の範囲】
【請求項１】
洗濯槽と、洗濯機本体に弾性的に支持され前記洗濯槽を内包する水受け槽と、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、前記入力設定・表示手段により設定された行程の内容に基づいて洗濯運転を行う制御手段とを備え、前記制御手段は、停電復帰時に電源からの電力を供給する停電復帰手段と、運転情報を記憶する記憶手段と、時刻を検出する時刻検出手段とを有し、洗い工程における停電からの復帰時に、前記記憶手段に記憶された運転情報と、前記時刻検出手段により検出された、停電開始から停電復帰までの経過時間の情報から、残りの洗い工程の時間を、本来の残りの洗い工程の時間から短縮するようにした洗濯機。
【発明の詳細な説明】
【技術分野】
【０００１】
本発明は、洗濯運転の途中で停電により運転が停止した場合、途中停止した状態から以降の洗濯運転を再開できるようにした洗濯機に関するものである。
【背景技術】
【０００２】
従来、この種の洗濯機は、運転中に電源が遮断、特には停電した時に、その時点の運転状態を不揮発性メモリに記憶させ、電源の復帰後に、不揮発性メモリに記憶した運転状態から、記憶した内容に基づいて途中停止した状態から運転を再開させるようにする構成が提案されている（例えば、特許文献１参照）。
【０００３】
図４は、特許文献１に記載された従来の洗濯機の制御ブロック図である。図４において、運転制御回路３１には、記憶手段としての不揮発性メモリ、例えばＥＥＰＲＯＭ３６が接続されており、運転制御回路３１は、洗濯運転中に操作部（図示せず）の「電源切」キースイッチ２５がオン操作された場合、電圧検出回路３４が所定電圧以下を検出した場合には、そのＥＥＰＲＯＭ３６にその時点の運転状態を記憶させる。従って、運転制御回路３１は、電源スイッチたるリレー３０をオフさせるための「電源切」キースイッチ２５の操作及び電圧検出回路３４を電圧検出手段として電源遮断を検出するための検出手段として機能する。
【０００４】
また、洗濯運転中に商用電源が停電する、あるいは誤って電源プラグ２９をコンセントから引き抜く場合がある。この場合には、電圧検出回路３４の検出電圧が所定電圧以下を検出するため、運転制御回路３１は、バックアップ電源たる図示しないコンデンサの給電によりその時点の運転状態をＥＥＰＲＯＭ３６に記憶させる。
【０００５】
上記構成により、商用電源が復帰する、あるいは電源プラグ２９がコンセントに差し込まれると、操作部にて特殊なキー操作をすることにより、リレー３０をオン動作させて電源遮断により途中停止した状態から洗濯運転を再開するようにしている。
【先行技術文献】
【特許文献】
【０００６】
【特許文献１】特開平７−２７５５６１号公報
【発明の概要】
【発明が解決しようとする課題】
【０００７】
しかしながら、前記従来の構成では、停電などにより電力が遮断され、運転停止のまま衣類が長時間放置された場合においても、停電復帰後は、運転が停止した状態からの継続復帰（継続運転）となる為、停電により運転停止していた時間がそのまま運転終了時刻に影響を及ぼし、停電時間だけ運転終了が遅くなる可能性があるという課題を有していた。
【０００８】
本発明は上記従来の課題を解決するもので、洗い工程途中での停電時は、水受け槽内で衣類が洗剤水につけおきされている状態であるため、停電中も洗浄が進行しているので、洗い工程での停電からの復帰時に、記憶手段に記憶されていた運転情報と、時刻検出手段により検出された停電による経過時間の情報から、（洗浄性能の低下に影響を及ぼさない範囲で）残りの洗い工程の時間を短縮することで、運転時間を短縮することができ、省エネにもつながり、また使い勝手の向上も図ることができる洗濯機を提供することを目的としている。
【課題を解決するための手段】
【０００９】
前記従来の課題を解決するために、本発明の洗濯機は、洗濯槽と、洗濯機本体に弾性的に支持され前記洗濯槽を内包する水受け槽と、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、前記入力設定・表示手段により設定された行程の内容に基づいて洗濯運転を行う制御手段とを備え、前記制御手段は、停電復帰時に電源からの電力を供給する停電復帰手段と、運転情報を記憶する記憶手段と、時刻を検出する時刻検出手段とを有し、洗い工程における停電からの復帰時に、前記記憶手段に記憶された運転情報と、前記時刻検出手段により検出された、停電開始から停電復帰までの経過時間の情報から、残りの洗い工程の時間を、本来の残りの洗い工程の時間から短縮するものである。
【００１０】
この構成により、洗い工程途中における停電時は、水受け槽内で衣類が洗剤水につけおきされている状態であるため、停電中も洗浄が進行する。このため、洗い工程における停電からの復帰時には、記憶手段に記憶されていた運転情報と、時刻検出手段により検出された停電による経過時間の情報から（洗浄性能の低下に影響を及ぼさない範囲で）、残りの洗い工程の運転時間を、本来の残りの洗い工程の運転時間から短縮する。これにより、運転時間を短縮することができ、省エネにもつながり、また使い勝手の向上を図ることができる。
【発明の効果】
【００１１】
本発明の洗濯機は、運転時間を短縮することができ、省エネにもつながり、また使い勝手の向上を図ることができる。
【図面の簡単な説明】
【００１２】
【図１】本発明の実施の形態１における洗濯機の断面図
【図２】同洗濯機の制御ブロック図
【図３】同洗濯機の制御フローチャート
【図４】従来の洗濯機の制御ブロック図
【発明を実施するための形態】
【００１３】
第１の発明の洗濯機は、洗濯槽と、洗濯機本体に弾性的に支持され前記洗濯槽を内包する水受け槽と、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、前記入力設定・表示手段により設定された行程の内容に基づいて洗濯運転を行う制御手段とを備え、前記制御手段は、停電復帰時に電源からの電力を供給する停電復帰手段と、運転情報を記憶する記憶手段と、時刻を検出する時刻検出手段とを有し、洗い工程における停電からの復帰時に、前記記憶手段に記憶された運転情報と、前記時刻検出手段により検出された、停電開始から停電復帰までの経過時間の情報から、残りの洗い工程の時間を、本来の残りの洗い工程の時間から短縮するようにしたものである。
【００１４】
この構成により、洗い工程途中における停電時は、水受け槽内で衣類が洗剤水につけおきされている状態であるため、停電中も洗浄が進行する。このため、洗い工程における停電からの復帰時には、記憶手段に記憶されていた運転情報と、時刻検出手段により検出された停電による経過時間の情報から（洗浄性能の低下に影響を及ぼさない範囲で）、残りの洗い工程の運転時間を、本来の残りの洗い工程の運転時間から短縮する。これにより、運転時間を短縮することができ、省エネにもつながり、また使い勝手の向上を図ることができる。
【００１５】
以下、本発明の実施の形態について、図面を参照しながら説明する。なおこの実施の形態によって本発明が限定されるものではない。
【００１６】
（実施の形態１）
図１は本発明の実施の形態１における洗濯機の断面図である。
【００１７】
図１に示すように、洗濯槽である回転ドラム１は、水受け槽２内に回転自在に配設されており、回転ドラム１の回転中心に略傾斜方向に回転軸（回転中心軸）３を設け、回転ドラム１の軸心方向を正面側から背面側に向けて下向きに傾斜させて配設している。回転軸３に、水受け槽２の背面に取り付けたモータ４を連結し、モータ４により回転ドラム１を正転、逆転方向に回転駆動する。
【００１８】
水受け槽２の正面側の上向き傾斜面に設けた開口部を蓋体５により開閉自在に覆い、蓋体５を開くことにより開口部を介して回転ドラム１内に洗濯物を出し入れできるようにしている。開口部を上向き傾斜面に設けているため、洗濯物を出し入れする際、腰を屈めることなく行うことができる。
【００１９】
水受け槽２は、洗濯機本体６からばね体７とダンパー８により揺動可能に吊り下げて防振支持しており、水受け槽２底部からの排水経路９ａに排水手段９を配設して水受け槽２内の洗濯水を排水するようにしている。給水手段１０は、水受け槽２内に水道水を給水するものである。水位検知手段１１は、水受け槽２内の水位を検知するものである。
【００２０】
なお、本実施の形態では、回転ドラム１の回転中心に略傾斜方向に回転軸３を設け、回転ドラム１の軸心方向を正面側から背面側に向けて下向きに傾斜させて配設しているが、回転ドラム１の回転中心に略水平方向に回転軸３を設け、回転ドラム１の軸心方向を略水平方向に配設してもよい。
【００２１】
なお、本実施の形態では、回転軸３を介して水受け槽２の背面にモータ４を連結しているが、モータ４を水受け槽２の下部に配設し、回転軸３を介して取り付けたプーリ等とモータ４をベルトで連結するベルト駆動の方式をとってもよい。
【００２２】
洗濯機本体６下方には制御手段１２を、上方前面部には入力設定・表示手段１３を配設する。制御手段１２は、入力設定・表示手段１３からの情報をもとに、運転が開始されると、モータ４、排水手段９、給水手段１０、水位検知手段１１、などの動作を制御し、洗い、すすぎ、脱水等の運転を行う。
【００２３】
排水手段９には、例えば、排水弁などがあげられるが、排水ポンプを使用してもよい。また、両方とも使用しても構わない。洗濯機の使用される環境に合わせた組み合わせとすればよい。
【００２４】
図２は、本発明の実施の形態１における洗濯機の一部ブロック化した回路図である。制御手段１２は、マイクロコンピュータ等により構成した制御回路１５と、入力回路１６と、モータ駆動回路１７と、スイッチング手段駆動回路１８と、商用電源が停電から復帰した時に、自動的に洗濯機を動作復帰させる停電復帰手段２１と、洗濯機の運転情報を記憶する記憶手段２２と、時刻を検出する時刻検出手段２３とからなるもので、制御手段１２は、入力設定・表示手段１３へ各種表示信号を出力すると共に、モータ駆動回路１７を介して、モータ４の回転制御を行っている。また、制御手段１２は、スイッチング手段駆動回路１８を介して、スイッチング手段１９を制御し、給水手段１０、排水手段９、蓋ロック装置２０などの動作を制御している。蓋ロック装置２０は、水受け槽２に設けた衣類投入口としての開口部を覆う蓋体５の開閉を運転中に禁止するものであり、ソレノイドとレ
バー方式のロック機構より構成している。
【００２５】
制御手段１２には、入力設定・表示手段１３からの各種操作信号が入力されると共に、入力回路１６を介して、水位検知手段１１からの検出信号が入力される。停電復帰手段２１は、商用電源に繋がっており、停電からの復帰か否かを検知したり、商用電源が停電から復帰した時に、制御手段１２に電力を供給したりする。記憶手段２２は、定期的に、あるいは運転工程ごとに、制御手段１２（より詳しくは制御回路１５）からの制御により洗濯機の運転情報を記憶する。また、記憶手段２２は、制御手段１２からの制御により記憶していた運転情報を制御手段１２（より詳しくは制御回路１５）に送る。さらに、制御手段１２（より詳しくは制御回路１５）は、時刻検出手段２３を制御し、時刻を検出する。
【００２６】
以上のように構成された洗濯機について、以下その動作、作用を説明する。
【００２７】
蓋体５を開け、洗濯物を回転ドラム１に投入し、蓋体５を閉めた後、入力設定・表示手段１３により工程内容を設定し、運転を開始する。制御手段１２は、洗濯物の量に応じて、最適な水位を設定し、給水手段１０を制御して、回転ドラム１内および水受け槽２内に給水を行う。水位検知手段１１によって水位を検知し、設定された水位に達すると、給水を終了し、モータ４を制御して、回転ドラム１を回転させ、洗い工程を行う。洗い工程終了後、排水手段９を制御して洗濯水を排水し、脱水した後、再び給水手段１０を制御して、回転ドラム１内および水受け槽２内に給水を行う。水位検知手段１１によって水位を検知し、設定された水位に達すると、給水を終了し、モータ４を制御し、回転ドラム１を回転させ、すすぎ工程を行う。すすぎ工程終了後、排水手段９を制御してすすぎ後の水を排水し、最終脱水を行って運転を終了する。
【００２８】
図３は、本発明の実施の形態１における洗濯機の制御フローチャートである。
【００２９】
図３において、入力設定・表示手段１３により工程内容を設定し、運転を開始した後、制御手段１２は、停電復帰手段２１より停電からの復帰か否か（例えば、ラッチングリレーなどを採用し、電力復帰時にラッチングリレーのＯＮ/ＯＦＦ状態を確認する）を判断（ステップＳ１１）し、停電からの復帰ではない場合（ステップＳ１１のＮ）、洗い工程を実行・継続（ステップＳ１２）する。
【００３０】
制御手段１２は、定期的に記憶手段２２に運転情報を記憶（ステップＳ１３）させる。なお、記憶手段２２に運転情報を記憶させるタイミングは、洗濯機の動作仕様に合わせた最適な任意のタイミングで記憶させるようにしてもよい。ステップＳ１３の後、ステップＳ１１に移行し、停電からの復帰か否かを判断し、停電からの復帰ではない場合、ステップＳ１２及びステップＳ１３を実行する。
【００３１】
ステップＳ１１において、停電からの復帰と判断した場合（ステップＳ１１のＹ）は、ステップＳ１４へ移行し、制御手段１２は、記憶手段２２から停電直前の運転情報を取得する。また、制御手段１２は、時刻検出手段２３を用いて停電中の経過時間を算出（ステップＳ１５）する。更に、制御手段１２は、取得した運転情報と、算出した経過時間と、予め実験的に求めたつけおき時間と洗浄効果の情報とから、充分な洗浄効果を得るために必要な残りの洗い工程の運転時間を、本来の残りの洗い工程の運転時間から短縮して再設定（ステップＳ１６）（例えば、１時間停電していた場合、１時間つけおきしていた洗浄効果を加味して、残りの運転時間を３０分短縮するなど。）し、洗い工程（ステップＳ１２）に移行する。そして、洗い工程終了後は、すすぎ工程、脱水工程を行い（図示せず）、運転を終了する。
【００３２】
このように、洗い工程での停電からの復帰時に、記憶手段２２に記憶されている運転情
報と、時刻検出手段２３により検出された停電による経過時間の情報から（洗浄性能の低下に影響を及ぼさない範囲で）、洗い工程再開後に必要な洗い工程の時間を算出し、本来の残りの洗い工程の運転時間から短縮して再設定する。残りの洗い工程の時間を短縮することで、運転時間を短縮することができ、省エネにもつながり、また使い勝手の向上も図ることができる。
【００３３】
なお、上記実施の形態の洗濯機は、衣類等の洗濯物を収容したドラムを回転させて洗濯を行う、所謂ドラム式洗濯機と称されるタイプの洗濯機に基づいて説明したが、ドラム式洗濯機に限定するものではなく、ドラムは回転させずにドラム内底部に設けた回転翼を回転させるタイプの洗濯機であっても同等の効果が得られることは自明である。
【産業上の利用可能性】
【００３４】
以上のように，本発明にかかる洗濯機は、洗い工程途中での停電時には、水受け槽内で衣類が洗剤水につけおきされている状態であるため、停電中も洗浄が進行するので、洗い工程での停電からの復帰時に、記憶手段に記憶されていた運転情報と、時刻検出手段により検出された停電による経過時間の情報から、（洗浄性能の低下に影響を及ぼさない範囲で）残りの洗い工程の時間を短縮することで、運転時間を短縮することができ、省エネにもつながり、また使い勝手の向上も図ることができるので、乾燥機能のついた洗濯乾燥機等にも利用可能である。
【符号の説明】
【００３５】
１  回転ドラム
２  水受け槽
３  回転軸（回転中心軸）
４  モータ
９  排水手段
１０  給水手段
１１  水位検知手段
１２  制御手段
１３  入力設定・表示手段
１５  制御回路
２１  停電復帰手段
２２  記憶手段
２３  時刻検出手段
【図１】
2016163601.tif 000003
【図２】
2016163601.tif 000004
【図３】
2016163601.tif 000005
【図４】
2016163601.tif 000006